(57)【特許請求の範囲】
【請求項１】
同一のポンプ光を入射した際のブリルアン利得スペクトルの範囲が重ならない互いに異なるブリルアン周波数シフト量を有する４つのコアを備えた光ファイバセンサヘッドに対する曲げ形状測定装置であって、
前記光ファイバセンサヘッドの各コアに対して、前記同一のポンプ光と互いに異なるプローブ光とを入射させるブリルアン解析器と、
前記光ファイバセンサヘッドの出射端にて前記４つのコアのそれぞれに設けられ、前記各コアのブリルアン周波数シフト量の前記光ファイバセンサヘッドにおける長手方向分布を測定し、前記長手方向の各地点における前記各コアのブリルアン周波数シフト量から前記各地点における各コアのひずみ量を求め、前記光ファイバセンサヘッドの曲げの中心と前記光ファイバセンサヘッドの断面中心とを結ぶ直線と、前記光ファイバセンサヘッドの任意コアの中心と前記光ファイバセンサヘッドの断面中心とを結ぶ直線とがなす角θを解析し、前記角θと前記各コアのひずみ量とから前記光ファイバセンサヘッドの曲げ半径ｒを解析し、前記曲げ半径ｒの分布から前記光ファイバセンサヘッドの曲率分布と前記各地点における曲率の方向を求める受光器と、を備えたことを特徴とする曲げ形状測定装置。
【請求項２】
前記光ファイバセンサヘッドに用いる前記４つのコアのブリルアン周波数シフト量は互いにブリルアン利得帯域以上離れていることを特徴とする請求項１に記載の曲げ形状測定装置。
【請求項３】
前記光ファイバセンサヘッドに用いる前記４つのコアのブリルアン周波数シフト量は、互いに、ブリルアン利得帯域とひずみ量変化によるブリルアン周波数シフト量の変化分との和以上離れていることを特徴とする請求項１に記載の曲げ形状測定装置。
【請求項４】
同一のポンプ光を入射した際のブリルアン利得スペクトルの範囲が重ならない互いに異なるブリルアン周波数シフト量を有する４つのコアを備えた光ファイバセンサヘッドに対する曲げ形状測定方法であって、
前記光ファイバセンサヘッドの各コアに対して、前記同一のポンプ光と互いに異なるプローブ光とを入射させ、
前記光ファイバセンサヘッドの出射端にて前記４つのコアのそれぞれに設けられ、前記各コアのブリルアン周波数シフト量の前記光ファイバセンサヘッドにおける長手方向分布を測定し、前記長手方向の各地点における前記各コアのブリルアン周波数シフト量から前記各地点における各コアのひずみ量を求め、
前記光ファイバセンサヘッドの曲げの中心と前記光ファイバセンサヘッドの断面中心とを結ぶ直線と、前記光ファイバセンサヘッドの任意コアの中心と前記光ファイバセンサヘッドの断面中心とを結ぶ直線とがなす角θを解析し、前記角θと前記各コアのひずみ量とから前記光ファイバセンサヘッドの曲げ半径ｒを解析し、前記曲げ半径ｒの分布から前記光ファイバセンサヘッドの曲率分布と前記各地点における曲率の方向を求める
ことを特徴とする曲げ形状測定方法。
【発明の詳細な説明】
【技術分野】
【０００１】
この発明は、光ファイバの曲げ形状測定装置及びその曲げ形状測定方法に関する。
【背景技術】
【０００２】
光ファイバを用いた形状センサとして、例えば非特許文献１の技術が開示されている。非特許文献１に開示された技術は、軸となる光ファイバの周囲にらせん状に６本の光ファイバを束ねたらせん型光ファイバセンサヘッド（以下、らせん型光ファイバセンサヘッドと称する）を用いる。
【０００３】
非特許文献１では、らせん型光ファイバセンサヘッドの長手方向に断続的にＦＢＧ（Fiber Bragg Grating）を書き込み、反射波長の変化をＯＦＤＲ（Optical Frequency Domain Reflectometer）で読み出しひずみを計測する方式と、ＯＦＤＲ測定によるレイリー散乱波形の変化からひずみを計測する方式とがある。上記のいずれの方式においても各らせん光ファイバにかかるひずみ量の断面の分布から３次元的ならせん型光ファイバセンサヘッドの曲り形状を測定しており、動的な曲り形状の変化を計測することもできる。しかしながら、らせん型光ファイバセンサヘッドは極めて特殊で複雑形状の光ファイバセンサヘッド構造であり、光ファイバセンサヘッドの長延化には膨大なコストがかかる。
【０００４】
その他の光ファイバ形状センサとして、例えば非特許文献２には、マルチコアファイバの各コアにＦＢＧを書き込みマルチコア光ファイバセンサヘッドとし、各コアのひずみを計測することでマルチコア光ファイバセンサヘッドの曲り形状を計測する技術が開示されている。しかしながら、曲げ形状の連続的な変化を測定する分解能はＦＢＧを書き込む長手方向の間隔に依存するため、高分解能かつ長距離の曲げ形状測定には不向きである。同様の技術的課題は、ＬＵＮＡ社のらせん型光ファイバセンサヘッドにＦＢＧを書き込む方式にも存在する。高分解能かつ長距離の曲げ形状測定を実現するためには、ひずみ量測定にＦＢＧなどの素子の挿入に依存せず、ひずみ量変化の連続分布を取得できることが望ましい。
【０００５】
非特許文献１および非特許文献２の技術を組み合わせ、より安価で簡易な構造のマルチコアファイバを光ファイバセンサヘッドとして利用し、各コアのレイリー散乱波形の変化からひずみを計測し、曲げ形状を測定する手法も考え得る。しかしながら、曲げ形状を付与することで、マルチコア光ファイバのクロストーク量は増大し、レイリー散乱波形の変化からひずみ量を測定する場合には、著しくその測定感度が劣化する。
【０００６】
ここで、マルチコア光ファイバのクロストーク量とは、マルチコア光ファイバの各コア間で相互に存在する試験光の浸み出し量のことである。わずかな曲げ形状の変化や、曲げ半径が大きく各コアにかかるひずみ量が小さい場合にも曲げ形状測定を実現するために、マルチコア光ファイバセンサヘッドのクロストークは低減しなければならない。
【０００７】
一方で、光ファイバ通信網の保守に曲げ形状光ファイバセンサの導入を考えた場合、曲げ形状センシングが可能な光ファイバを通信ケーブル内構造に内蔵する、あるいは光ファイバ網に沿って施工しておくことで、いつでもリアルタイムに光ファイバ通信網の敷設状態を、例えば３次元地図上に表現することができるようになる。光ファイバ通信網を３次元地図上に可視化することができれば、追加で敷設する光ファイバケーブルの配線計画の策定や保守現場での必要工数計画の立案、通信網に付随する設備情報とのリンクによる効率的な保守業務の実現が期待できる。
【先行技術文献】
【非特許文献】
【０００８】
【非特許文献１】ＬＵＮＡ社, "Fiber Optic Shape Sensing", Current State of Technology, June 21st, 2013.
【非特許文献２】D. Barrera et al., “Multipoint two-dimensional curvature optical fibre sensor,” 23rd OFS, Proc. of SPIE 9157, 2014.
【非特許文献３】Luc Thevenaz, "Brillouin distributed time-domain sensing in optical fibers: state of the art and perspectives，”Front. Optoelectron. China, 2010.
【発明の概要】
【発明が解決しようとする課題】
【０００９】
本発明の目的は、光ファイバを用いた曲げ形状センサ技術において、各コア間のクロストークの影響を低減することでひずみ測定感度の劣化を抑止した上で、長距離測定かつシームレスな分布測定が可能な光ファイバの形状測定装置とその曲げ形状測定方法とを提供することにある。
【課題を解決するための手段】
【００１０】
上記目的を達成するためにこの発明の第１の観点は、以下のような構成要素を備えている。すなわち、曲げ形状測定装置は、同一のポンプ光を入射した際のブリルアン利得スペクトルの範囲が重ならない互いに異なるブリルアン周波数シフト量を有する４つのコアを備えた光ファイバセンサヘッドに対する曲げ形状測定装置であって、前記光ファイバセンサヘッドの各コアに対して、前記同一のポンプ光と互いに異なるプローブ光とを入射させるブリルアン解析器と、前記光ファイバセンサヘッドの出射端にて前記４つのコアのそれぞれに設けられ、前記各コアのブリルアン周波数シフト量の前記光ファイバセンサヘッドにおける長手方向分布を測定し、前記長手方向の各地点における前記各コアのブリルアン周波数シフト量から前記各地点における各コアのひずみ量を求め、前記光ファイバセンサヘッドの曲げの中心と前記光ファイバセンサヘッドの断面中心とを結ぶ直線と、前記光ファイバセンサヘッドの任意コアの中心と前記光ファイバセンサヘッドの断面中心とを結ぶ直線とがなす角θを解析し、前記角θと前記各コアのひずみ量とから前記光ファイバセンサヘッドの曲げ半径ｒを解析し、前記曲げ半径ｒの分布から前記光ファイバセンサヘッドの曲率分布と前記各地点における曲率の方向を求める受光器と、を備える。
【００１１】
上記目的を達成するためにこの発明の第２の観点は、以下のような構成要素を備えている。すなわち、曲げ形状測定方法は、同一のポンプ光を入射した際のブリルアン利得スペクトルの範囲が重ならない互いに異なるブリルアン周波数シフト量を有する４つのコアを備えた光ファイバセンサヘッドに対する曲げ形状測定方法であって、前記光ファイバセンサヘッドの各コアに対して、前記同一のポンプ光と互いに異なるプローブ光とを入射させ、前記光ファイバセンサヘッドの出射端にて前記４つのコアのそれぞれに設けられ、前記各コアのブリルアン周波数シフト量の前記光ファイバセンサヘッドにおける長手方向分布を測定し、前記長手方向の各地点における前記各コアのブリルアン周波数シフト量から前記各地点における各コアのひずみ量を求め、前記光ファイバセンサヘッドの曲げの中心と前記光ファイバセンサヘッドの断面中心とを結ぶ直線と、前記光ファイバセンサヘッドの任意コアの中心と前記光ファイバセンサヘッドの断面中心とを結ぶ直線とがなす角θを解析し、前記角θと前記各コアのひずみ量とから前記光ファイバセンサヘッドの曲げ半径ｒを解析し、前記曲げ半径ｒの分布から前記光ファイバセンサヘッドの曲率分布と前記各地点における曲率の方向を求める。
【発明の効果】
【００１２】
すなわちこの発明によれば、光ファイバを用いた曲げ形状センサ技術において、各コア間のクロストークの影響を低減することでひずみ測定感度の劣化を抑止した上で、長距離測定かつシームレスな分布測定が可能な光ファイバの形状測定装置とその曲げ形状測定方法とを提供することができる。
【図面の簡単な説明】
【００１３】
【図１】図１は、第一の実施形態に係る曲げ形状測定装置で用いるマルチコア光ファイバセンサとブリルアン利得との一例を説明する図である。
【図２】図２は、本発明の第一の実施形態に係る曲げ形状測定装置の構成例を説明する図である。
【図３】図３は、第一の実施形態に係る曲げ形状測定の基本原理の説明図である。
【図４】図４は、第一の実施形態に係る曲げ形状測定方法の一例について説明するフローチャートである。
【発明を実施するための形態】
【００１４】
以下、図面を用いて本発明の実施形態について説明する。  
本実施形態では、マルチコア光ファイバ（Multi-core fiber）ＭＣＦを光ファイバセンサヘッドとし、各コアにかかる長手方向のひずみ量を解析することで、光ファイバセンサヘッドの曲げ形状を測定する。コア数がＮ（Ｎは３以上の整数）のマルチコアファイバＭＣＦを、同一のポンプ光を入射した際のブリルアン利得スペクトルの範囲が重ならないＮ種のブリルアン周波数シフト量のコアにて設計し、曲げ形状によって各コアに生じるひずみ量をブリルアン利得解析法によって測定することで、長距離かつシームレスな曲げ形状測定できる。ここで、曲げ形状とは、光ファイバセンサヘッドに外力や振動が付与されることによる光ファイバセンサヘッドの曲率変化の分布および各曲率の方向である。ブリルアン利得解析法は、ひずみの変化量（または温度の変化量）に対してブリルアン周波数シフト量が線形に変化することが知られており、ひずみ測定技術（または温度測定技術）として利用されている。
【００１５】
ここで、ブリルアン利得解析法を用いたひずみ分布センシング技術とは、例えば、ＢＯＴＤＲ（Brillouin Optical Time Domain Reflectometer）やＢＯＴＤＡ（Brillouin Optical Time Domain Analysis）、ＢＯＣＤＡ（Brillouin Optical Correlation Domain Analysis）である。  
上記いずれの測定法を用いても、従来不可能であった数ｋｍの長距離曲げ形状をクロストークによる感度劣化を低減して測定可能になる。
【００１６】
本実施形態における曲げ形状測定方法においては、コア数Ｎのマルチコア光ファイバにブリルアン周波数シフト量ＢＦＳ（ポンプ光が誘起するブリルアンゲインスペクトル（ＢＧＳ）の中央値）が異なるＮ種のコアを利用する。また、後述するように、ブリルアン周波数シフト量ＢＦＳの違いは曲げ形状が付与された場合の最大のひずみ量におけるブリルアン周波数シフト量ＢＦＳの変化量より大きく設定しておくことで、クロストークによる測定精度の劣化を原理的にゼロにできる。コア間のブリルアン周波数シフト量ＢＦＳの違いは、コアの断面構造、屈折率分布で制御することができる。
【００１７】
また、例えば非特許文献３には、ひずみ量の変化に対してブリルアン周波数シフト量はおよそ５００［ＭＨｚ／％］で変化することが開示されている。一方で、想定されるひずみ変化量に相当するブリルアン周波数シフト量の変化より大きく、各コアのブリルアン周波数シフト量の差を設計できない場合には、ブリルアン利得帯域（約３０ＭＨｚ）より大きく各コアのブリルアン周波数シフト量の差を設計しておくことで、クロストークによる測定精度の劣化を低減することができる。
【００１８】
図１は、第一の実施形態に係る曲げ形状測定装置で用いるマルチコア光ファイバセンサとブリルアン利得との一例を説明する図である。  
本実施形態では、同一のポンプ光を入射した際のブリルアン利得スペクトルの範囲が重ならない互いに異なる４種のブリルアン周波数シフト量にて設計された４コアのマルチコア光ファイバＭＣＦを一例として用いる。コアＣ１〜Ｃ４のブリルアン周波数シフト量をＢＦＳ１〜ＢＦＳ４とし、各ブリルアン周波数シフト量ＢＦＳ１〜ＢＦＳ４はブリルアン利得帯域より十分離れているものとする。例えば、図１において隣接するブリルアン周波数シフト量ＢＦＳ１とブリルアン周波数シフト量ＢＦＳ２との間Ｂ１は、ブリルアン利得帯域より十分大きくなっている。ブリルアン周波数シフト量ＢＦＳ２とブリルアン周波数シフト量ＢＦＳ３との間、ブリルアン周波数シフト量ＢＦＳ３とブリルアン周波数シフト量ＢＦＳ４との間についても同様である。
【００１９】
また、曲げ形状の付与によるひずみ変化に起因するブリルアン周波数シフト量の変化に対し、あらかじめ各コアＣ１〜Ｃ４間のブリルアン周波数シフト量ＢＦＳ１〜ＢＦＳ４の差を大きく設計しておくことで、クロストークにより各コアＣ１〜Ｃ４のそれぞれに結合した試験光が、コアＣ１〜Ｃ４の他のいずれかの内でブリルアン相互作用を生じることはない。すなわち、図１において隣接するブリルアン周波数シフト量ＢＦＳ１とブリルアン周波数シフト量ＢＦＳ２との間Ｂ１は、ブリルアン利得帯域とひずみ変化に起因するブリルアン周波数シフト量の変化との和より十分大きくなっていることがより望ましい。ブリルアン周波数シフト量ＢＦＳ２とブリルアン周波数シフト量ＢＦＳ３との間、ブリルアン周波数シフト量ＢＦＳ３とブリルアン周波数シフト量ＢＦＳ４との間についても同様である。
【００２０】
また、各コアＣ１〜Ｃ４のそれぞれに結合した試験光が、再度もとのコアＣ１〜Ｃ４に結合した場合にも、ブリルアン周波数シフト量の変化量の測定、すなわち、ひずみ量の測定には何ら影響はなく、原理的にクロストークによるひずみの感度劣化は生じない。
【００２１】
図２は、第一の実施形態に係る曲げ形状測定装置の構成例を示す図である。  
本実施形態の曲げ形状測定装置は、ブリルアン解析器２０と、複数の受光器２１〜２４と、を有している。本実施形態では、ブリルアン周波数シフト量ＢＦＳの異なるＮ種のコアからなるＮ個のコアで構成されるマルチコア光ファイバＭＣＦを光ファイバセンサヘッドとしている。受光器２１〜２４の数は、測定対象であるマルチコア光ファイバＭＣＦのコア数Ｎと同じである。図２に示した例では、測定対象であるマルチコア光ファイバＭＣＦは４コアであるので、曲げ形状測定装置は４つの受光器２１〜２４を有している。
【００２２】
ブリルアン解析器２０は、単一の周波数のポンプ光を出力して分岐器Ａ２を介して分岐し、プローブ光をコアＣ１〜Ｃ４それぞれに異なる周波数で出力して分岐器Ａ１を介して分岐し、プローブ光およびポンプ光をマルチコア光ファイバＭＣＦに入射する。
【００２３】
受光器２１〜２４は、マルチコア光ファイバＭＣＦの遠端（出射端）にてコアＣ１〜Ｃ４ごとに設けられている。受光器２１〜２４は、マルチコア光ファイバＭＣＦの各コアＣ１〜Ｃ４からの出射光と、ポンプ光とを受光する。受光器２１〜２４は、ブリルアン利得を得たプローブ光を観測し、ブリルアン周波数シフトを解析する。受光器２１〜２４は、ブリルアン解析により、各コアの長手方向のひずみ分布を取得し、後述する曲げ形状解析手段にて各コアＣ１〜Ｃ４のひずみ量から曲げ形状を解析する。なお、受光器２１〜２４の解析結果は、有線あるいは無線の通信手段により外部へ出力されてもよい。
【００２４】
受光器２１〜２４は、例えば、ブリルアン周波数シフト量ＢＦＳ１〜ＢＦＳ４からなる光ファイバセンサヘッドの各コアの各位置におけるひずみ量の変化は、ひずみがかかっていない状態（曲げが加えられていない状態）で予めブリルアン利得スペクトルプロファイルを取得し、曲げが加えられた際のブリルアン利得量の絶対量の変化から、ブリルアン周波数シフト量の変化を解析することで、長手方向にわたって一括して測定可能である。
【００２５】
図３は、第一の実施形態に係る曲げ形状測定の基本原理の説明図である。  
以下に述べる方法は本願において曲げ形状解析手段と称する。マルチコア光ファイバの曲げ形状測定の原理として例えば非特許文献２に開示される方式を用いることができる。
【００２６】
曲げ形状は曲りの中心Ｃ、曲げ半径ｒの円弧上に曲がるものとする。このとき、４コアのマルチコア光ファイバＭＣＦにおける曲げ形状は、各コアＣ１〜Ｃ４と光ファイバ中心軸との距離をｄ、曲りの中心Ｃ、各コアＣ１〜Ｃ４にて測定されたひずみ量をそれぞれε１〜ε４とし、曲げの中心とマルチコア光ファイバＭＣＦの中心とを結ぶ直線と、コアＣ１の中心とマルチコア光ファイバＭＣＦの中心とが結ぶ直線がなす角θとすると、
【００２７】
【数１】
0006283602.tif 000002
と表せる。
【００２８】
曲げ形状の付与や変化によって各コアＣ１〜Ｃ４にかかるひずみ量ε１〜ε４を測定することで、曲げ付与部の曲げ半径を求めることができる。この曲げ半径を分布的に測定することでマルチコア光ファイバＭＣＦの曲率を求めることができ、曲げ形状測定が実施可能である。
【００２９】
ただし、上記手段によれば、マルチコア光ファイバＭＣＦにねじれは生じていないか、ねじれの量が既知でなければ曲げ形状の方向を正確に遠隔から測定することはできないため留意が必要である。
【００３０】
図４は、第一の実施形態に係る曲げ形状測定方法の一例について説明するフローチャートである。  
本実施形態では、同一のポンプ光を入射した際のブリルアン利得スペクトルの範囲が重ならない互いに異なるブリルアン周波数シフト量を有する３以上のコアを備えたマルチコア光ファイバを光ファイバセンサヘッドとする（ステップＡ１）。
【００３１】
続いて、ブリルアン解析器２０は、光ファイバセンサヘッドＭＣＦの各コアＣ１〜Ｃ４に対して、該同一のポンプ光と、互いに異なるプローブ光とを入射させる（ステップＡ２）。
【００３２】
次に、受光器２１〜２４において、各コアＣ１〜Ｃ４のブリルアン周波数シフト量の光ファイバセンサヘッドにおける長手方向分布を測定し、各地点における各コアのブリルアン周波数シフト量から当該地点における各コアのひずみ量を求める（ステップＡ３）。
【００３３】
次に、上述の数式を用いて、光ファイバセンサヘッドの所定の地点における曲率およびその方向を求める。すなわち、光ファイバセンサヘッドの曲げの中心Ｃと光ファイバセンサヘッドの断面中心とを結ぶ直線と、光ファイバセンサヘッドの１つのコアの中心と光ファイバセンサヘッドの断面中心とを結ぶ直線とがなす角θ、および光ファイバセンサヘッドの曲げ半径ｒを算出し、光ファイバセンサヘッドの当該地点における曲率およびその方向を求める（ステップＡ４）。
【００３４】
本実施形態によれば、同一のポンプ光を入射した際のブリルアン利得スペクトルの範囲が重ならない互いに異なるブリルアン周波数シフト量のＮ種のコアを有する、マルチコア光ファイバを光ファイバセンサヘッドとし、ブリルアン利得解析法によってひずみ量を計測することで、曲げ形状測定が可能かつ簡易構造の光ファイバセンサヘッドであるマルチコア光ファイバを利用しながらも、各コア間のクロストークによるひずみ測定感度の劣化を消滅または低減できる。
【００３５】
本実施形態において、クロストークによるひずみ測定精度の劣化を消滅、または低減できるのは、ブリルアン利得解析に用いるポンプ光およびプローブ光の周波数差が伝搬するコアのブリルアン周波数シフト量に一致する場合にのみひずみに感度を持つからであり、本実施形態のブリルアン周波数シフト量が異なるコア間では、曲げ形状の付与によりクロストークが増大し試験光が他のコアへ漏れ出す場合にも、他のコアではブリルアン相互作用は生じず、単に試験光が伝搬するのみである。その後、もとのコア（該試験光が入射すべきコア）に伝搬モードが再度結合した場合にも、ブリルアン周波数シフト量の解析に影響を与えることはない。
【００３６】
また、本実施形態によれば、ブリルアン周波数シフト量の異なるマルチコア光ファイバからなる光ファイバセンサヘッドを用い、マルチコア光ファイバに生じるクロストーク量を低減した状態でブリルアン利得解析を用いて各コアの長手方向のひずみ分布を測定し、光ファイバの曲げ形状を長距離かつシームレスに測定可能とすることで、例えば光ファイバ通信網の配線状態を遠隔から測定可能とすることで、光ファイバ通信網の運用・管理の効率を向上するための３次元光ケーブルマップの作成に資することができる。
【００３７】
さらに、曲げ形状センシングが可能な光ファイバを通信ケーブル内構造の中心に内蔵する、あるいは光ファイバ網に沿って施工しておくことで、いつでもリアルタイムに光ファイバ通信網の敷設状態を、３次元地図上に表現することができるようになり、光ファイバ通信網を３次元地図上に可視化することができれば、追加で敷設する光ファイバケーブルの配線計画の策定や保守現場での必要工数計画の立案、通信網に付随する設備情報とのリンクによる効率的な保守業務の実現ができる。  
さらに、上記曲げ形状測定について、マルチコア光ファイバのコア間クロストークを低減することで、曲げによるひずみの測定精度を向上することができる。
【００３８】
また、上記実施形態では、４コアのマルチコア光ファイバＭＣＦを例に説明したが、同一のポンプ光を入射した際のブリルアン利得スペクトルの範囲が重ならない互いに異なるブリルアン周波数シフト量を有する３以上のコアを有するマルチコア光ファイバ（もしくはバンドル光ファイバ）であれば本実施形態を適用可能である。コア数を多くして、各位置における光ファイバ断面のひずみの面分布を長手方向にわたって測定することで、より精確な曲げ形状測定を実施可能になる。
【００３９】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４０】
２０…ブリルアン解析器、２１〜２４…受光器、Ａ１、Ａ２…光分波器、ＢＦＳ１〜ＢＦＳ４…ブリルアン周波数シフト量、Ｃ１〜Ｃ４…コア、ＭＣＦ…マルチコア光ファイバ
【図１】
0006283602.tif 000003
【図２】
0006283602.tif 000004
【図３】
0006283602.tif 000005
【図４】
0006283602.tif 000006